Podtech/llm-jp-corpus-v4-ja_patent huggingface dataset:
(57)【要約】      （修正有）【課題】薄いシート状俎板において、使用後の剥がし取りを容易にした樹脂製シート状俎板を提供する。【解決手段】俎板本体部１が０．８〜５ｍｍ厚の適宜大きさであって、縁部の一部を上方に跳ね上げて摘み部２を設けることで、シート状俎板が載地面に密着していたとしても載置面から浮き上がっている摘み部２を指先で摘み上げることができる。【選択図】図１
0003145255.tif 000002
【実用新案登録請求の範囲】
【請求項１】
０．８〜５ｍｍ厚の適宜大きさであって、縁部の一部を上方に跳ね上げて摘み部を設けてなることを特徴とする樹脂製シート状俎板。
【請求項２】
全体を矩形状に形成し、角隅部分を折曲して三角形状の摘み部を設けてなる請求項１記載の樹脂製シート状俎板。
【請求項３】
ポリプロピレン樹脂と熱可塑性エストラマー樹脂を主材として形成すると共に、表面をシボ加工面に形成してなる請求項１又は２記載の樹脂製シート状俎板。
【考案の詳細な説明】
【技術分野】
【０００１】
本考案は、シートタイプの樹脂製俎板に関するものである。
【背景技術】
【０００２】
樹脂製俎板は、種々の材質のもので形成されているが、適度の柔軟性を備えて刃物による摩耗が少なく、且つ食品の臭気の付着がないポリプロピレンと熱可塑性エラストマーを主材としたものが知られている（特許文献１：特開２００２−３６９７５２号公報）。
【０００３】
また俎板の厚さとしては、前記特許文献１には、２〜５０ｍｍ厚のものが好ましいと開示されており、また特許文献２（登録実用新案第３１３８１４４号公報）には、前記特許文献１と同様にポリプロピレンと熱可塑性エラストマーを主材とした俎板について、厚さを１０〜２０ｍｍ程度することが開示されている。
【０００４】
また使い捨て俎板として、厚さ１ｍｍ以下の樹脂シート製の俎板も知られている（特許文献３：特開２００５−１２４８９７号公報）。
【０００５】
更に通常の俎板に重ねて使用する俎板として、特許文献４（登録実用新案第３０５１７９８号公報）に、厚さ３ｍｍ前後の物が開示されている。
【０００６】
【特許文献１】特開２００２−３６９７５２号公報
【特許文献２】登録実用新案第３１３８１４４号公報。
【特許文献３】特開２００５−１２４８９７号公報。
【特許文献４】登録実用新案第３０５１７９８号公報。
【考案の開示】
【考案が解決しようとする課題】
【０００７】
食肉用、野菜用、鮮魚用のように使用対象食品ごとに使い分ける多数の俎板を、セットとすることが前記特許文献４に開示されている。このようなセットの俎板は、通常の厚さ（１０〜３０ｍｍ）を備えたものであれば、取り扱いに不便であることは言うまでもなく、前記の特許文献４に示されているとおり３ｍｍ以下の厚さのシート状の物が望ましい。
【０００８】
然し薄いシート状俎板を採用した場合には、通常の厚みの俎板に重ねて使用したり、キッチン台上に載置して使用することになる。特に俎板の安定を図るために平滑面上に載置することになる。そうした場合に、薄いシート状俎板は載置面上に密着してしまい、剥がし難く取り扱いが不便となる。
【０００９】
そこで本考案は、取り扱いが容易な構造の樹脂製シート状俎板を提案したものである。
【課題を解決するための手段】
【００１０】
本考案（請求項１）に係る樹脂製シート状俎板は、０．８〜５ｍｍ厚の適宜大きさであって、縁部の一部を上方に跳ね上げて摘み部を設けてなることを特徴とするものである。
【００１１】
従って平滑面上に載置して使用される樹脂製シート状俎板は、載置面に密着していたとしても、載置面から浮き上がっている摘み部を指先で摘み上げることで、シート状俎板を載置面から容易に剥ぎ取ることができる。
【００１２】
また本考案（請求項２）は、前記樹脂製シート状俎板において、特に全体を矩形状に形成し、角隅部分を折曲して三角形状の摘み部を設けてなるもので、もっとも一般的な形状の俎板であり、且つ摘み部も角隅にあるので使い易い。
【考案の効果】
【００１３】
本考案の構成は上記のとおりで、載置面上に密着させて使用する樹脂製薄いシート状俎板を簡単に載置面から引き離すことができ、使い易くなったものである。
【考案を実施するための最良の形態】
【００１４】
次に本考案の実施の形態について説明する。実施形態に示した樹脂製シート俎板は、本体部１と、摘み部２を備えており、全体が矩形であり、角隅部分に摘み部２を設けたものである。
【００１５】
本体部１及び摘み部２は、ポリプロピレン樹脂（５０〜８０％）と熱可塑性エストラマー樹脂（５０〜２０％）を主材として型成形で一体に形成されるもので、その厚さは０．８〜５ｍｍ（好ましくは２〜３ｍｍ程度）としたものである。
【００１６】
特に本体部１の表面をシボ加工面に形成し、角隅部分の摘み部２は、一辺３．５ｃｍの三角形状で、本体部１の面から約２０度の傾斜で跳ね上げているものであり、更に三角形の底辺となる本体部１との境界部分には浅い凹条部３を設けて、摘み部２に上下方向への動きを許容するクッション性を有せしめたものである。
【００１７】
而して前記の樹脂製シート状俎板は、通常の厚さの俎板の上に重ねて敷いて使用する他、キッチン台上の平滑面に載置して使用するものであり、摘み部２が載置面よりも浮き上がっているので、摘み部２を指先で摘み上げると、シート状俎板は容易に載置面から分離させることができるものである。
【００１８】
尚本考案は前記の実施形態に限定されるものではなく、矩形以外の形状でも良く、その場合には、適宜側辺個所に摘み部を形成すれば良い。また摘み部も当該俎板本体を持ち上げるに十分な大きさであれば良い。
【図面の簡単な説明】
【００１９】
【図１】本考案の実施形態の全体斜視図。
【符号の説明】
【００２０】
１        本体部
２        摘み部
３        凹条部
【図１】
0003145255.tif 000003
(57)【要約】      （修正有）【課題】主に、河川の汚水を簡単構造の装置で浄化することを目的とした悪臭除去装置を提供する。【解決手段】ステンレス製線材等の耐蝕性材料の金網と金網支持骨によって構成される桝形及び／又は、有底状円筒体の装置本体と、該装置本体の内部に固定的に配置される木炭等の多孔質固体と、ステンレス製線材等の耐蝕性材料からなる金網と金網支持骨によって構成される押蓋とを備えたことを特徴としている。また、装置の単体を適宜連結手段により、縦横方向の連結形態に保持することができる。【選択図】図１
0003145611.tif 000002
【実用新案登録請求の範囲】
【請求項１】
ステンレス製線材等の耐蝕性材料の金網と金網支持骨によって構成される桝形及び／又は、有底状円筒体の装置本体と、該装置本体の内部に固定的に配置される木炭等の多孔質固体と、ステンレス製線材等の耐蝕性材料からなる金網と金網支持骨によって構成される押蓋とを備えたことを特徴とする汚水の浄化，室内空気の清浄化及び悪臭除去装置。
【請求項２】
請求項１記載の装置の単体を適宜連結手段により、縦横方向の連結形態に保持することを特徴としている請求項１に記載の汚水の浄化，室内空気の清浄化及び悪臭除去装置。
【考案の詳細な説明】
【考案の詳細な説明】
【技術分野】
【０００１】  本考案は、例えば河川水，雨水貯留槽（タンク）内の雨水，浴槽内の風呂水等の浄化や窓内空気の清浄化，更にはクローゼット，下駄箱，トイレ等の悪臭除去等を有利に行なうことができる装置に関するものである。
【技術背景】
【０００２】  従来、中小河川を浄化するには、川底に曝気設備をスポット的に設置していた。即ち、曝気設備は、空気の吹き込みや攪拌などをして、水中に酸素を供給し、汚水（廃水）の浄化を可能にする設備であるから電力を消費したり、故障回避のための保守，点検を必要とするから運転コスト高を招くという問題点があった。
【０００３】  また、住宅の屋根に降った雨水は雨樋の下部に設置される貯留槽（タンク）に貯留されても汚濁し、この汚水が蚊の発生源となる。
【０００４】  また、一般に、入浴後の風呂水の汚れは、後続の入浴者に不快感を与えることになる。
【０００５】  更に、住宅室内の空気は煙草臭や炊事の煮炊き臭などによって汚染され、クローゼット，下駄箱，トイレ等は悪臭の発生源となる。
【考案の開示】
【考案が解決しようとする課題】
【０００６】  本考案は、上述のような諸般の実情に鑑みなされたもので、その目的とするところは、河川水，雨水貯留槽内の貯留水，風呂水等の浄化を可能にする簡易構造形態の装置を提供するものである。【０００７】  また、本考案は室内空気の清浄化，更には、クローゼット，下駄箱，トイレ等の悪臭除去を可能にする簡易型構造形態の装置を提供するものである。
【課題を解決するための手段】
【０００８】  本考案に係る装置は、ステンレス製線材等の耐蝕性材料の金網と金網支持骨によって構成される桝形及び／又は、有底状円筒体の装置本体と，該装置本体の内部に固定的に配置される木炭等の多孔質固体と，ステンレス製線材等の耐蝕性材料からなる金網と金網支持骨によって構成される押蓋とを備えたことを特徴としている（請求項１）。【０００９】  また、本考案は、請求項１記載の装置の単体を適宣連結手段により、縦横方向の連結形態に保持することを特徴としている（請求項２）。
【考案の効果】
【００１０】  本考案の請求項１記載の装置にあっては、桝形及び／又は、有底状円筒体を構成する金網製装置本体の内部に固定配置される木炭等の多孔質固体が汚水浄化特性を有しているから、該装置本体を河川の川底に設置したときは、河川汚水が前記木炭等の多孔質固体に浸透し、結果として、河川汚水の浄化が可能になる（図５）。【００１１】  また、請求項１記載の装置本体（桝形の装置本体）の単体同志を適宜手段により縦横方向に連結させ、該実施形態の装置を河川の川底に設置した場合、広範水域での河川汚水浄化が可能になる（図４）。【００１２】  更に、請求項１記載の装置本体（桝形及び／又は有底状円筒体の装置本体）を湯槽内部の適所に設置したときは、風呂水の浄化が可能になる（図６）。【００１３】  更には、請求項１記載の装置本体（有底状円筒体の装置本体）を雨水貯留槽（タンク）内に設置することで、雨水貯留槽（タンク）内に貯留する雨水は浄化されるから、蚊の発生等を防ぐことが可能になる（図７）。【００１４】  しかも、本考案装置を室内適所に配置したときは、室内の汚染空気を清浄することができ、更には、クローゼット，下駄箱，トイレ等の適所に配置するだけで、これらの悪臭を有効に除去することができる。【００１５】  更に又、本考案装置は簡単且つ堅牢構造にして頗る取扱い易く、このように、本考案に係る装置は、上述する河川汚水，雨水貯留水，風呂水等の浄化は勿論のこと、室内空気の清浄化、クローゼット，トイレ等の悪臭除去等の広範目的に活用できる装置として極めて有効である。
即ち、本考案装置は、金網の網目を通る汚水等が、木炭等の多孔質固体に浸透することで浄化されるという著効がある。
【考案を実施するための最良の形態】
【００１６】  以下、本考案を図示例に基き説明すると、次の通りである。【００１７】  請求項１に記載の考案は、ステンレス製線材等の耐蝕性材料の金網１と、金網支持骨２によって構成される桝形３及び／又は、有底状円筒体４の装置本体５と、該装置本体５の内部に固定的に配置される木炭等の多孔質固体６と、ステンレス製線材等の耐蝕性材料の金網７と金網支持骨８によって構成される押蓋９とを備えたものである。【００１８】  また、請求項２に記載の考案は、前記装置本体５の単体を適宜連結手段１０によって縦横方向に連結形態を保持するように構成するものである。【００１９】  尚、本考案装置を河川の川底に設置するときは、装置本体５（桝形の装置本体）の内底面に重し材（例えば、煉瓦，砂利，ガレット等）を敷設し、該重し材の上面に木炭等の多孔質固体６を載せるようにしてもよい。【００２０】  前記押蓋９は、実際の使用に当っては、これを不用にすることもできる。【００２１】  図面符号１１は河川の川底，１２は湯槽，１３は雨水貯留槽を示している。
【図面の簡単な説明】
【図１】本考案装置の分離斜視図である。
【図２】本考案装置の全体構造を示す説明図である。
【図３】本考案装置の他例構造を示す説明図である。
【図４】本考案装置の他例構造を示す説明図である。
【図５】本考案装置の使用態様を示す説明図である。
【図６】本考案装置の使用態様を示す説明図である。
【図７】本考案装置の使用状態を示す説明図である。
【符号の説明】
１    金網
２    金網支持骨
３    桝形
４    有底状円筒体
５    装置本体
６    木炭等の多孔質固体
７    金網
８    金網支持骨
９    押蓋
１０  連結手段
１１  河川の川底
１２  湯槽
１３  雨水貯留槽
【図１】
0003145611.tif 000003
【図２】
0003145611.tif 000004
【図３】
0003145611.tif 000005
【図４】
0003145611.tif 000006
【図５】
0003145611.tif 000007
【図６】
0003145611.tif 000008
【図７】
0003145611.tif 000009
(57)【要約】      （修正有）【課題】ネジ回しで締め付け作業をおこなうビス、小径ボルトあるいはネジ釘にあって、ネジ回しがセットされる部分の形状をＹ形の溝とすることで、ビス等の頭部の破壊強度の向上を図ったＹ字型ビスを提供する。【解決手段】小径ビス、ボルト、ネジ釘頭部中心より３方向へ、１２０度間隔にて、ネジ回しのセットされる部分のＹ字形の溝を配置した小径のボルト、ビス、ネジ釘とする。そのビス、ボルト、ねじ釘に回転力を与える時には、凸形Ｙ字形状の専用のネジ回しを使用する。使用方法は、＋、プラス形のビス、ボルト及びプラス形ネジ回しと変わりなく、専用Ｙ字形ネジ回しをビス、ボルト頭部のＹ字形状溝にあてがい、回転力を与え使用する。【選択図】図１
0003145612.tif 000002
【実用新案登録請求の範囲】
【請求項１】
小径の、ビス、ボルト、ねじ釘頭部に、ねじ回し、ドライバー等が、セットされ、回転力を伝えられる部分の形状が、ビス、ボルト、ネジ釘頭部の、中心から３方向へ１２０度間隔でＹ字形状をしているビス、ボルト、ネジ釘と専用のドライバー、ネジ回し。
【考案の詳細な説明】
【技術分野】
【０００１】本考案は、小径ビス、ボルト、ネジ釘頭部のドライバー、ねじ回しにより回転力を伝達される部分がＹ字形状をしている小径ビス、ボルト、ネジ釘、及びＹ字型ビスに使用されるドライバーネジ回しに関するものである。
【背景技術】
【０００２】  従来の小径のビス、ボルト、ねじ釘は、ねじ回し、ドライバーによって回転力を伝達される部分の形状は、−、マイナス形か、＋、プラス形が多くＹ字形のものは無かった。この為、＋、プラス形状の小径のビス、ボルト、ねじ釘頭部の、ねじ回し、ドライバーがセットされ、回転力が伝達される部分は、ビス、ボルト頭部の小径が小さくなるほどドライバー、ねじ回しのセットされる部分の占める割合が多くなりしたがって、小径ビス、ボルト頭部のネジ回し、ドライバーによって回転力を受け、小径ビス、ボルト本体へ回転応力を伝達する部分が少なくなり、ひずみ破壊強度及び、せん断破壊強度が弱くなって、ひずみ破壊、せん断破壊を起こし使用不能になるビス、ボルトが少なからずあった。
【考案の開示】
【考案が解決しようとする課題】
【０００３】  小径ビス、ボルト頭部のドライバー、ねじ回しによって、回転力を受ける部分の形状が＋、プラス形状のビス、ボルト、ネジ釘は、ねじ回し、ドライバーのセットされる部分は、ボルト、ビス、頭部中心より、９０度間隔で４方向へプラス形となっており小径ビス、ボルト頭部の径が小さいほど、ネジ回し、ドライバーのセットされる部分の占める割合が多くなり従ってビス、ボルト頭部のドライバー、ネジ回しより、回転応力を受け、ビス、ボルト本体へ、回転応力を伝達する部分が少なくなり、又ドライバーネジ回しのセットされる部分の中心部の角度がひずみやすい９０度であること、二つの要因から、せん断破壊強度、ひずみ破壊強度を確保するのが困難になり、ボルト、ビス頭部が、ひずみ破壊、せん断破壊を起こし、小径のビス、ボルトが使用不能になるケースが多かった。この欠点を解決しようとするものである。
【問題を解決するための手段】
【０００４】  本考案は、小径ビス、ボルト頭部のねじ回し、ドライバーがセットされ、回転力が伝達される部分が、従来の＋、プラス形ビス、ボルトではビス、ボルト中心部より９０度間隔で４方向になっていたものを、ビス、ボルト、中心より１２０度間隔、Ｙ字形状、３方向へ配置して、ドライバー、ねじ回しのセットされる部分を小さくし、したがって、ネジ回し、ドライバーより回転応力を受け、ビス、ボルト本体へ、伝達する部分を多くすることができ、又、ビス、ボルト、ネジ釘頭部、中心部のネジ回し、ドライバーのセットされる部分の角度をひずみ変形しにくい１２０度とすることができ、二つの要因で、ひずみ破壊強度、せん断破壊強度を上げ、破損使用不能になるビス、ボルトを大幅に少なくすることができ問題を解決している。
【考案の効果】
【０００５】  上述の様に、本考案のＹ字形ビスは、小径のビス、ボルト、ねじ釘頭部のネジ回し、ドライバーによって、回転力を伝達される部分、ドライバー、ネジ回しがセットされる部分の形状をＹ字形にしたもので、従来の＋、プラス形の小径のボルト、ビスに比べ、ドライバー、ネジ回しより回転力を受け、ビス、ボルト本体へ、伝達する部分を多く確保でき、また、ビス、ボルト中心部のねじ回し、ドライバーがセットされ、回転応力を受ける部分が＋、プラス形状ビス、ボルトでは９０度、Ｙ字形状ビス、ボルトでは、ひずみ変形しにくい１２０度である。したがって、二つの要因で、ひずみ破壊強度、せん断破壊強度をより強くすることができ、小径のボルト、ビス、ねじ釘のひずみ破壊強度不足、せん断破壊強度不足による破損使用不能になる不良品を少なくすることができる。
【考案の実施するための最良の形態】
【０００６】  小径ビス、ボルト、ネジ釘頭部中心より３方向へ、１２０度間隔にて、ドライバー、ネジ回しのセットされる部分のＹ字形の溝を配置した小径のボルト、ビス、ネジ釘。そのビス、ボルト、ねじ釘にセット使用される凸形Ｙ字形状の専用のネジ回し、ドライバーで、使用方法は、＋、プラス形のビス、ボルト及びプラス形ネジ回し、ドライバーと変わりなく、専用Ｙ字形ドライバーネジ回しをビス、ボルト頭部のＹ字形状溝にあてがい、回転力を与え使用する。
【実施例】
【０００７】以下、添付図面に従って、一実施例を説明する。［図１］は鋼製の、Ｙ字型ビス頭部平面図。［図２］は、Ｙ字形ビス側面図。［図３］は、Ｙ字形ビス、イ−イ断面図。［図４］は鋼製の、Ｙ字形ビス専用ネジ回し平面図。［図５］は、Ｙ字形ビス専用ネジ回し側面図。１Ｂは、ビス、ボルト頭部Ｙ字形の溝。２Ｂは、ビス頭部。３Ｂは、ナット。１Ｎは鋼製の、Ｙ字形ネジ回し部分。２Ｎは、Ｙ字形ネジ回し柄部分。Ｙ字形ビス、ボルト専用のネジ回し、ドライバー１Ｎの部分を、１Ｂビス、ボルト頭部Ｙ字形の溝にフィット、セットさせ、回転力を与え、ビス、ボルトを締め付け、又は緩めて、使用する。
【図面の簡単な説明】
【０００８】
【図１】Ｙ字形ビス、ボルト頭部平面図。
【図２】Ｙ字形ビス、ボルト側面図。
【図３】Ｙ字形ビス、ボルトイ−イ断面図。
【図４】Ｙ字形ビス専用ネジ回し平面図。
【図５】Ｙ字形ビス専用ネジ回し側面図。
【符号の説明】
【０００９】１Ｂは、ビス、ボルト頭部Ｙ字形の溝。
２Ｂは、ビス、ボルト頭部。
３Ｂは、ナット
１Ｎは、Ｙ字形ネジ回し部分
２Ｎは、Ｙ字形ネジ回し柄部分。
【図１】
0003145612.tif 000003
【図２】
0003145612.tif 000004
【図３】
0003145612.tif 000005
【図４】
0003145612.tif 000006
【図５】
0003145612.tif 000007
(57)【要約】      （修正有）【課題】農業用ビニールフィルム廃棄物を回転洗浄によって効率良く洗浄し、再生利用を容易にするための洗浄装置を提供する。【解決手段】農業用ビニールフィルム廃棄物の洗浄装置は、円形型容器と、その内部に羽根車を持ち、さらにシャワー状の散水装置を有する。内部に廃棄物を挿入し、羽根車を回転させること、及び散水することによって土、埃、野菜屑、農薬などの付着物を効率良く洗浄できるようになった。【選択図】図１
0003145603.tif 000002
【実用新案登録請求の範囲】
【請求項１】
内部に回転する羽根車を有し、上面に散水用のシャワー装置および下部に排水口を有する円筒タイプのドラム型をした農業用ビニールフィルム廃棄物の洗浄装置。
【考案の詳細な説明】
【技術分野】
【０００１】  廃棄物の再処理を行う場合に、ゴミなどの付着物の除去が必要になる。特に農業用のビニールフィルムには、その使用方法、使用環境などからかなりの土汚れが付着している。これを再利用する事は資源としての利活用であることから、非常に重大な事と言うことができる。その廃棄物の量もかなりであることもそれを難しくしている。
【背景技術】
【０００２】  土汚れの除去方法として提案、実施されているものは、一つはビニールを細かく裁断して、水に入れて拡販するというものがある。この方法は、水に浮くゴミの除去と水に沈む土砂などを取り除き、次に土を水に取り込ませることによって洗浄するというものである。この方法では、かなりの水量が必要であり、また、最終的に絞るという操作が必要になる。この際に一旦取り除いた土が再度ビニールに付着するという欠点を持っていた。
【課題を解決する手段】
【０００３】  上記のような欠点を取り除くために、静水ではなく、シャワー状にした流水タイプの洗浄を行うことで、絞りの工程や再付着の防止を図ることができる。
【０００４】  その方法は、裁断しない状態でビニールフィルムを円筒容器に挿入して、その内部に設置した緩やかに回転する羽根車によって空中での拡販状態を作り、上部よりシャワー状の散水を行うことによってそのフィルム表面に付着した異物を取り除き、その水を底部で集めて排出させるというものである。
【０００５】  このような、簡便でかつ作業性が向上できる手段として、図１に示す構造体を作製した。この構造体は、１の円筒型容器、２の羽根車、３の駆動用モーター、４の駆動伝達機器、５の散水システム、６の排水口により構成される。
【０００６】  この構造体の使用方法は以下に記述する方法による。すなわち、円筒型容器に廃棄されたビニールフィルムを挿入し、羽根車を回転させる。この回転によって付着した石や土の塊をはがし、下部に落下させる。ある程度時間を経過したら次にシャワー散水を行う。この散水によって取り除かれた土類は下部の排水口から外部に取り出される。その排水の色合い、汚れ具合から洗浄度が分るので、清水になったと判断される段階で装置の回転を停止し、ビニールフィルムを外部に取り出す。
【０００７】  この操作によって、フィルム上の付着物が除去されて、清浄な状態のフィルムを取り出すことができる。さらに乾燥のために温風を吹き込むことも場合によっては行ってもよい。
【考案の効果】
【０００８】  このようにして、洗浄されたフィルムはほとんど脱水された状態で取り出すことができ、そのままで再生用のビニールフィルムとして使用することができる。だだし、平坦性は損なわれているのでこの材料は加工用として使用するものであって、そのままビニールフィルムとして使用するものではない。
【実施例１】
【０００９】  本考案になる装置によって、洗浄が容易になるとともに、使用する水量が少ないという利点を有していることから排水処理についても効率がいい。農業関連の使用済み素材は、農薬などで汚染されている場合があるため、その排水処理は注意深く実施する必要があることから、その処理量が少ないということはかなりの利点になる。
【図面の簡単な説明】
【００１０】
【図１】  本考案の実施形態を示す農業用ビニールフィルム廃棄物の洗浄装置の正面切断図
【符号の説明】
【００１１】  １    円筒型容器
２    羽根車
３    駆動用モーター
４    駆動伝達機器
５    散水システム
６    排水口
【図１】
0003145603.tif 000003
(57)【要約】【課題】  円滑な注ぎ出し及び、注ぎ出す量を自在に加減・停止出来る液状調味料の注ぎ口部品を提供する。【解決手段】  注ぎ口部品本体に空気流入口を設け、液状調味料容器の内部に空気を流入させる事により、脈動無く内部の液状調味料を注ぎ出す事が可能となり、更にその空気流入口を指先で塞ぐ事により瞬時に注ぎ出しを停止する事が可能となり、液状調味料の出し過ぎを防止する。【選択図】図１
0003145601.tif 000002
【実用新案登録請求の範囲】
【請求項１】
注ぎ口部品本体に空気流入口を設け、液状調味料の容器に接続してその容器内に空気流入口から入る空気の量を調整する事により液状調味料を円滑に注ぎ出し、その量を細かく調整可能な注ぎ口部品
【考案の詳細な説明】
【技術分野】
【０００１】  本考案は液状調味料容器の注ぎ口部分に接続し、液状調味料の注ぎ出しを円滑にし、注ぎ出す量を加減可能にする注ぎ口部品に関するものである。
【背景技術】
【０００２】  従来、液状調味料を注ぎ出す際に脈動を軽減する形の注ぎ口はあった。
【考案の開示】
【考案が解決しようとする課題】
【０００３】  従来品は最初に容器注ぎ口の栓を引抜き、その形状が注ぎ口部分と空気吸入部分になり脈動防止する機能はあったが、注ぎ出し量を自在に加減は出来ずに多く注ぎ出される欠点があった。本考案はこれらの欠点を除く為になされたものである。
【課題を解決するための手段】
【０００４】  空気流入口を設け容器内部に空気を流入させる事により脈動無く注ぎ出させる事が可能になり、更に指先で操作出来る空気流入口により注ぎ出す量を加減可能になり問題点を解決した。
【考案の効果】
【０００５】  本考案の注ぎ口部品を使用する事により、微妙な分量の注ぎ出しが可能になり、計量カップや計量スプーン等に注ぐ際も必要量を容易に注ぎ出す事が可能になった。
【考案を実施するための最良の形態】
【０００６】  注ぎ口部品を開栓後の液状調味料容器の注ぎ口に取付ける。注ぐ際は出過ぎを防止する為、指先で空気流入口を操作し容器内部の圧力加減しながら注ぎ出す。
【実施例】
【０００７】  以下、添付図面に従って一実施例を説明する。１は耐久性がある適宜素材で形成された注ぎ口部品本体、２は液状調味料の注ぎ口、３は空気流入口、４は空気流入口３に繋がる空気流入管である。開栓済みの液状調味料容器６の注ぎ口に空気流入管４を通し、注ぎ口部品本体１を回転させて接続する。【０００８】  液状調味料を注ぎ出す際は、空気流入口３を注ぎ口２の真上方向に位置させて徐々に傾斜させる。液状調味料の自重で注出口２から液状調味料が注ぎ出されるとともに、液状調味料容器の内部の圧力が低くなり、空気流入口３から液状調味料容器内部に空気が空気流入管４を通過し４ａの空気流出口から流出されて脈動無く円滑に液状調味料は注ぎ口２から連続して注ぎ出される。【０００９】  液状調味料の注ぎ出す量の加減・停止をする際は、空気流入口３を指先で塞ぐ事により空気の流入が停止され、注ぎ口２から液状調味料の注ぎ出しは停止される。
【図面の簡単な説明】
【００１０】
【図１】本考案の注ぎ口部品の斜視図である。
【図２】注ぎ口部品本体の断面図である。
【図３】注ぎ口部品本体を液状調味料に接続して注ぎ出し中の透視図である。
【図４】注ぎ口部品本体を液状調味料に接続して注ぎ出しを停止中の透視図である。
【符号の説明】
【００１１】１    注ぎ口部品本体
１ａ  本体メネジねじ山部分
２    注ぎ口
３    空気流入口
４    空気流入管
４ａ  空気流出口
５    キャップ
６    液状調味料本体
６ａ  注ぎ出し中の液状調味料
【図１】
0003145601.tif 000003
【図２】
0003145601.tif 000004
【図３】
0003145601.tif 000005
【図４】
0003145601.tif 000006
(57)【要約】      （修正有）【課題】従来普通に使用されているショベルカー本体の内部に完全防水のエンジンと昇降自在の運転室を作り、且つキャタピラ翼片の幅寸法を従来のものより１．５倍及至２倍程度の幅の形成した水陸両用ショベルカーを提供する。【解決手段】キャタピラーの翼片の横幅を従来のものより幅広く形成すると共に、ショベルカー本体の内部に完全防水したエンジンと、無人操縦無線装置を装設する。該ショベルカー本体の上部には、油圧昇降装置を介在して運転室を装設してある。該運転室には、隣接して同時に昇降自在の空気及びエンジン用排気筒を装設した事を特徴としている。【選択図】図１
0003145607.tif 000002
【実用新案登録請求の範囲】
【請求項１】
ショベルカー本体の先端にバケットを設けたアームを装設した水陸両用ショベルカーにおいて、該ショベルカー本体には、上部に昇降自在の運転室を有し、下部には、旋回台を介在してキャタピラーを装設し、該キャタピラーの翼片の横幅を通常より幅広く形成し、該ショベルカー本体には、内部に完全防水したエンジンを収納すると共に、上部には昇降自在の油圧昇降装置を介在して運転室を装設し、該運転室には、空気吸入口及びエンジンガス排出口を有する空気及びエンジン用排気筒を昇降自在に装設した事を特徴とする水陸両用ショベルカー。
【請求項２】
請求項１におけるショベルカー本体には、内部に無人で操作できる無人操縦無線装置を設置した事を特徴とする請求項１の水陸両用ショベルカー。
【請求項３】
請求項１におけるキャタピラーの翼片の横幅を４０ｃｍ及至５０ｃｍの場合には、その横幅の寸法を１．２倍から１．５倍程度の幅寸法にしたことを特徴とする請求項１の水陸両用ショベルカー。
【考案の詳細な説明】
【技術分野】
【０００１】  従来普通に使用されているショベルカーは、陸上工事作業による土掘り作業に使用されるのが一般的であるが、本考案は、従来のショベルカーに改良した付属品を装着する事で、該ショベルカーの製造費を低額に抑えた上で、該ショベルカーに完全防水のエンジン及び昇降自在の運転室を作り、これを河川の工事作業に使用する水陸両用ショベルカーに関するものである。
【背景技術】
【０００２】  一般に、河川の埋削作業は、河川を堰き止めたり、浚渫船を曳航して土砂を取り除いてから行う。然し、この場合は、大変な設備と費用及び時間が多く掛かると云う欠点がある。
【考案の開示】
【考案が解決しようとする課題】
【０００３】  河川の工事作業が、小規模な場合においては、従来の河川を堰き止めたり、浚渫船を利用すると、大きな費用が掛かり過ぎるため、工事費用の採算が膨大となり、工事の実施が不可能となる問題点がある。
本考案のものは、従来の工事が不可能である問題点を解決したものであって、その目的とする所は、従来のショベルカーのキャタピラーの翼片を幅広く形成したものを使用して河川の中に侵入でき、且つ、エンジンを完全防水して収納すると共に、昇降する運転室と、空気の吸入口及びエンジンガスの排出口を設けて、小規模な河川工事を容易に出来るようにした水陸両用ショベルカーを提供するものである。
【課題を解決するための手段】
【０００４】  上記目的を達成するために、本考案の水陸両用ショベルカーによれば、ショベルカー本体のキャタピラーの翼片の横幅を、地面のヘドロ状態を支え、且つ駆動しやすくする為、通常より幅広く形成する。また、ショベルカー本体の内部に完全防水したエンジンを収納する。運転室を昇降自在とすると共に、運転室と共に空気吸入口とエンジンガス排出口との昇降排気筒を装設する。
そして、ショベルカー本体の内部には、無人でも操作できる無人操縦無線装置を設置する。
また、該キャタピラーの翼片の横幅を従来のものより１．２倍から１．５倍程度の幅寸法に形成するものである。
【考案の効果】
【０００５】  本考案は、以上の通りに構成されているので、従来の普通の陸上のショベルカーとしても使用できる効果と、キャタピラーの幅を広く交換するだけで、河川やヘドロ等で埋設する所でも、危険を防止して土砂やヘドロを排出する作業ができる効果と、河川を堰き止める必要もない効果もある。
また、ショベルカー本体の内部に完全防水したエンジンを収納してあるので、無人操縦によっても充分に作業が出来る効果と、運転室と共に昇降する空気及びエンジン用排気筒による上昇によって、河川の深浅に関係なく充分に土砂の取り除き作業ができる便利な効果がある。
【考案を実施するための最良の形態】
【０００６】  本考案の水陸両用ショベルカーを河川に使用する場合は、キャタピラーの部分に幅広くする翼片の付属品を取り付け、キャタピラー部分の翼片の幅を広くする。水辺や水中で作業する際には、ヘドロ等で重機が埋設しやすい場所でも自重を支持する事ができる。運転室は、水中に入る事が無いように、内蔵された油圧式動力で上昇させる。エンジン部分は、水中での稼動が可能なように完全防水のために安心である。また、運転室の外側に一緒に昇降する空気吸入口及びエンジンガス排出口の昇降排気筒が同時に上昇するため、空気及びガスが水に侵される事が無く、自然に吸入排出が出来るので、通常通りエンジンは稼動される。また、操縦合理化や、危険な場所の浚渫作業においての安全を考慮して、操縦無線機能を使用して、遠隔操作を可能とするものである。
【実施例】
【０００７】  本考案の実施例を図面について説明すると、図１に示すものは、陸上で使用する状態のショベルカー本体（１）の全体側面で、下部には、旋回台（９）を介して翼片（１５）（１５）を設けたキャタピラー（２）を装設してある。該ショベルカー本体（１）には、内部に完全防水を施したエンジン（３）を収納してある。
また、該ショベルカー本体（１）の内部には、安全面及び操縦合理化のために無人操縦無線装置（６）を内装してある。
次に、図２に示すものは、該ショベルカー本体（１）の上方位置に伸長した運転室（８）で、下部に油圧で伸縮する油圧昇降装置（７）を装設してある。
また、該運転室（８）には、該運転室（８）と同時に上昇及び下降動作する空気吸入口及びエンジンガス排出口を設けた空気及びエンジン用排気筒（５）を装設してある。
そして、該ショベルカー本体（１）には、前方に起伏杆（１２）及びアーム（１１）を装設し、且つ該アーム（１１）には、先端のバケット（１０）を装設したものである。
【図面の簡単な説明】
【０００８】
【図１】  本考案の水陸両用ショベルカーの全体の側面図である。
【図２】  同じく本考案の運転室及び、空気及びエンジン用排気筒が伸長した場合の側面図である。
【図３】  同じく本考案の全体の背面図である。
【符号の説明】
【０００９】  １          ショベルカー本体
２          キャタピラー
３          エンジン
５          空気及びエンジン用排気筒
６          無人操縦無線装置
７          油圧昇降装置
８          運転室
９          旋回台
１０        バケット
１１        アーム
１５        翼片
【図１】
0003145607.tif 000003
【図２】
0003145607.tif 000004
【図３】
0003145607.tif 000005
(57)【要約】      （修正有）【課題】移動可能な日付枠を取り付け、当日の日にちを瞬時に特定することができるカレンダーを提供する。【解決手段】スチールペーパーを用いた台紙１に数枚のカレンダー２を取り付け、カレンダーの日付上に磁石を用いた日付枠３を吸着させ、日付上を自在に移動させることを可能にすることにより、日めくりの機能を併せ持ち、瞬時に当日の日にちを特定できるようにする。【選択図】図１
0003145610.tif 000002
【実用新案登録請求の範囲】
【請求項１】
カレンダー上の日付に移動可能な日付枠を設け、日めくりの機能を併せ持つカレンダー。
【請求項２】
カレンダーを取り付ける台紙にスチールペーパーを用い、カレンダー上の日付を囲む枠に磁石を用いた日付枠が吸着するカレンダー。
【考案の詳細な説明】
【技術分野】
【０００１】本考案は、カレンダー上の日付の部分に移動可能な吸着する日付枠を設けた、カレンダーに関するものである。
【背景技術】
【０００２】従来のカレンダー上には当日を示すしるしがないため、日にちを確認しようとするとき、当日が何日であるかは、昨日が何日だったかという各人の記憶に頼って特定していた。
【考案の開示】
【考案が解決しようとする課題】
【０００３】カレンダー上の日にちを各人の記憶に頼って見ることは、一見してすぐに当日が何日であるかを思い出せない場合や記憶違いの場合など、仕事や日常生活上、不都合を生じることにつながる。従って、カレンダーと日めくりの機能を併せ持つことにより、カレンダー上の当日を瞬時に特定することが可能になり、前述の欠点を解決しようとするものである。
【課題を解決するための手段】
【０００４】本考案は、カレンダーを取り付ける台紙にスチールペーパーを用い、カレンダー上の日付を囲む枠に磁石を用いた日付枠を設けることにより、日付枠をカレンダー上に吸着させることを可能にし、日付上を移動させることにより日めくりの機能を持たせ、問題点を解決している。
【考案の効果】
【０００５】上述のように、本考案の日めくり機能付カレンダーは、台紙にスチールペーパーを用い、磁石を用いた日付枠を設け、カレンダー上に吸着させ日付上を移動させることにより日めくりの機能を併せ持ち、これまで各人の記憶に頼っていた当日の日にちの特定を瞬時にすることに役立つ。
【考案を実施するための最良の形態】
【０００６】１枚に１ヵ月〜数カ月分を印刷したカレンダーの場合、数枚のカレンダーをスチールペーパーを用いた台紙に取り付ける。日付けを囲む枠に磁石を用いることにより、カレンダーが数枚あっても日付上に日付枠を吸着させることが可能になる。この日付枠を日付上に移動させることにより、日めくりの機能を併せ持つことになり、当日が何日であるかが一目瞭然となる。
【実施例】
【０００７】以下、添付図面に従って一実施例を説明する。１はスチールペーパーを用いた台紙、２は数枚重ねたカレンダー、３は磁石を用いた日付枠で、スチールペーパーと磁石が吸着するため、日付枠はカレンダー上を滑り落ちることはなく、日付上に吸着し、自在に移動させることが可能になる。
【図面の簡単な説明】
【０００８】
【図１】本考案の日めくり機能付きカレンダーの一実施例を示す正面図である。
【符号の説明】
【０００９】１  スチールペーパーを用いた台紙
２  数枚重ねのカレンダー
３  磁石を用いた日付枠
【図１】
0003145610.tif 000003
(57)【要約】      （修正有）【課題】廃棄処分される鯉のぼりの生地を有効に利用した衣料及び袋物類を提供する。【解決手段】廃棄処分される鯉のぼりの生地の化学繊維布又は木綿布等によって製縫され、表面適所に家紋，ネーム又は、ロゴマーク等の表示部を転写，プリント等の手段によって表出して成ることを特徴とする。衣料の例として、はっぴやはんてん等、袋物の例として手提げ袋等が挙げられる。【選択図】図２
0003145604.tif 000002
【実用新案登録請求の範囲】
【請求項１】
廃棄処分される鯉のぼりの生地の化学繊維布又は木綿布等によって製縫され、表面適所に家紋，ネーム又は、ロゴマーク等の表示部を転写，プリント等の手段によって表出して成ることを特徴とする衣類及び袋物類。
【考案の詳細な説明】
【考案の詳細な説明】
【技術分野】
【０００１】本考案は、衣料及び袋物類に関するものである。【０００２】本考案において衣料とは例えば、半被（はっぴ），半纏（はんてん），トランクス（以下、衣料と称す）等を指し、袋物とは例えば、手提げ袋，ナップザック等（以下、袋物と称す）を指す。
【背景技術】
【０００３】古来、五月の端午の節句時期には男子の成長を祝って鯉のぼりが掲揚される。【０００４】しかし、鯉のぼりは男子の幼年期に掲揚するのが一般的であり、その幼年期が過ぎると掲揚を断念し、物体無いけれども焼却等して廃棄されている。
【考案の開示】
【考案が解決しようとする課題】
【０００５】本考案は、上述のような実情に鑑みなされたもので、その目的とするところは、廃棄処分の対象とされる鯉のぼりの生地を衣料，袋物として有効に再生利用することにある。
【課題を解決するための手段】
【０００６】本考案は、衣料，袋物の縫製素材が、廃棄処分される鯉のぼり生地の化学繊維又は木綿布などであって、この化学繊維等によって製縫される衣料，袋物の表面適所に家紋，ネーム又は、ロゴマーク等の表示部が転写，プリント等の手段によって表出されることを特徴とする。
【考案の効果】
【０００７】本考案は、上述した衣料，袋物類を、焼却等して廃棄処分される鯉のぼりの生地で縫製加工するから、鯉のぼりの再利用に稗益する。【０００８】また、鯉のぼりの生地によって縫製加工される衣料，袋物には、鯉のぼり生地に捺染されている色，柄，文様，（鯉の外形線，ウロコ線，目玉，金色光輝層など）が忠実に顕現するから、体裁，美観上頗る好ましく、斬新且つ、カラフルで意外性があり、新趣向性に富み、しかも需要者に格別な仕上り風合いを印象付ける衣料，袋物を作出することができる。【０００９】また、本考案にあっては、衣料，袋物の適所に転写シール，プリント等の手段により家紋の表示部を設けるようにしたから、衣料，袋物に顕現する鯉のぼり生地の色，柄，文様に加飾効果を齎し、表示部がロゴマークの場合は衣料，袋物が企業の宣伝媒体として機能し、表示部が、ネームの場合は衣料，袋物の持ち主が誰の所有であるかを確認することができる。【００１０】更に、本考案品を製縫するに当っては、廃棄処分の対象となる鯉のぼりの
0003145604.tif 000003
を安価に設定することができる。【００１１】前記した鯉のぼり生地（化学繊維生地）は、耐光，耐洗，撥水，軽量等の特性を有しているから、製品化される衣料，袋物の色，柄，文様等が色落ち、色あせたり、製品に水分等が浸透したりするような不具合が無く、また、衣料，袋物を軽量に仕立てることができる。
また、本考案は、上記の実施形態に限定されるものではなく、例えば、シャワーカーテン，テーブルクロス，エプロン，タペストリー，携帯電話用ケース，その他の袋物，ケース等とすることができる。
【考案を実施するための最良の形態】
【００１２】以下、本考案を図示例に基づき説明すると、次の通りである。【００１３】本考案の実施例説明を便宣上、図２の袋物及び、図３の半被（はっぴ）に限定して説明する。【００１４】本考案に係る袋物１は、廃棄処分の対象となる鯉のぼりの生地２を利用しで縫製加工したものであり、袋物１に鯉のぼり生地２の色，柄，文様等が顕現する。【００１５】鯉のぼり生地２の使用素材は、木綿、化学繊維（ナイロン又はポリエステル）である。【００１６】そして、袋物１の表面適所に家紋，ネーム，ロゴマーク等の表示部３が設けてあり、図２の袋物１の場合は家紋を転写シール，プリント等の手段によって表出したものとなる。【００１７】図３及び図４は、半被（はっぴ）４の縫製加工例を例示しており、この半被（はっぴ）４の前身頃５と後身頃６を鯉のぼり生地２で製縫するから半被（はっぴ）の前身頃５と後身頃６に鯉のぼり生地２の色，柄，文様等が顕現する。
特に、図４に示す後身頃６の上方部位には鯉のぼり生地２に表現されている目玉７が鮮明に顕現するから、看者の視覚が目玉７に集中するという意外性がある。【００１８】前記半被（はっぴ）４の適所に家紋，ネーム，ロゴマーク等の表示部（図示しない）を設けてもよい。【００１９】上述した鯉のぼりの生地２、特にナイロン，ポリエステル等の化学繊維生地は、耐光，耐洗，撥水，軽量等の特性を有している。【００２０】本考案品を製縫するに当っては、当然のこと乍ら、鯉のぼりの口輪を取外し、その胴部等を展開したものを本考案品の使用生地に供するようにする。
【図面の簡単な説明】
【００２１】
【図１】鯉のぼりの斜視図を示している。
【図２】本考案の実施形態の一例（袋物）を示す構成図を示している。
【図３】本考案の実施形態の他例（半被）の前身頃を示す構成図である。
【図４】本考案の実施形態の他例（半被）の後身頃を示す構成図である。
【符号の説明】
１  袋物
２  鯉のぼりの生地
３  表示部
４  半被
５  前身頃
６  後身頃
７  目玉
【図１】
0003145604.tif 000004
【図２】
0003145604.tif 000005
【図３】
0003145604.tif 000006
【図４】
0003145604.tif 000007
(57)【要約】      （修正有）【課題】より狭い場所で機能を発揮できるラチェットレンチを提供する。【解決手段】ラチェットレンチの主要部を、ラチェット機構部Ａ、回転方向の切替レバーＢ、ハンドルＣ、延長棒Ｅ及びハンドルＣと延長棒Ｅを回転自在に連結する連結部Ｄにより構成する。両側面のスペースの中でラチェット機構が最大に働くように、延長棒Ｅの端を持ち連結部Ｄを左右（点線図と実線図）に最大に振ると、ハンドルが必然的に最大に振ることができる。延長棒Ｅを持つことにより、ハンドルＣを持つ手のスペースが中央前に集中し、結果両側面を最大に左右に振ることができる。【選択図】図２
0003145606.tif 000002
【実用新案登録請求の範囲】
【請求項１】
回転方向が一方向に制限され、逆回転させると空回りをする仕組みでボルトやナットやねじを回すラチェット機構を本体の一端に設けたラチェットレンチに、所要の長さの延長棒を該本体の他端に回転自在に連結した延長棒付ラチェットレンチ。
【考案の詳細な説明】
【技術分野】
【０００１】手工具のハンドルの改良したラチェットレンチに関する。
【背景技術】
【０００２】回転方向が一方向に制限され、逆回転させると空回りをする仕組みでボルトやナットやねじを回すラチェット機構を持つラチェットレンチを使用する時は、ラチェット機構が作動する最小限の歯車角を動かす為にハンドルを持ち左右に振る。
【考案の開示】
【考案が解決しようとする課題】
【０００３】ラチェットレンチのハンドルを左右に振るには、ラチェット機構が作動する最小限の歯車角を動かすハンドルのスペースとハンドルを持つ手のスペースとが必要で、狭いスペースでは左右に振れない。
【課題を解決する為の手段】
【０００４】本考案は前記においてハンドルを持つ手のスペースを必要とせず、ラチェット機能が作動する最小限の歯車角を動かすハンドルのスペースだけで左右に振れるように延長棒を付けた。
【考案の効果】
【０００５】ラチェットレンチハンドル後部に延長棒を付ける事によりハンドルの振れ巾が最大に取れる。
【考案実施の形態】
【０００６】図１はラチェットレンチに延長棒を付けた斜視図である。
Ａ・・・ラチェット機構部：回転方向が一方向に制限され、逆回転すると空回りする機構の部位。
Ｂ・・・回転方向の切り替えレバー：ラチェット機構部の回転方向を一方向から、他方向に切り替えるレバー
Ｃ・・・本体（ハンドル）
Ｄ・・・連結部：本体と延長棒を回転自在に連結した部位。
Ｅ・・・延長棒
【０００７】図２は延長棒付ラチェットレンチの延長棒を左右に動かした動作を、上から見た所の図である。
図において両側面のスペースの中でラチェット機構が最大に働くように、延長棒（Ｅ）の端を持ち連結部（Ｄ）を左右（点線図と実線図）に最大に振ると、ハンドルが必然的に最大に振れる様子である。
延長棒（Ｅ）を持つことにより、ハンドル（Ｃ）を持つ手のスペースが中央前に集中し、結果両側面を最大に左右に振ることができる。
【図面の簡単な説明】
【０００８】
【図１】本考案に係る延長棒を取り付けたラチェットレンチの斜視図。
【図２】本考案に係る延長棒付ラチェットレンチの延長棒を、左右に振ったところを上から見た図である。
【符号の説明】
【０００９】Ａ・・・・ラチェット機構。
Ｂ・・・・回転方向の切り替えレバー。
Ｃ・・・・本体（ハンドル）
Ｄ・・・・連結部
Ｅ・・・・延長棒
【図１】
0003145606.tif 000003
【図２】
0003145606.tif 000004
(57)【要約】      （修正有）【課題】容器の受熱面積を増加させることで、加熱したい物への熱伝導効率の向上を図った改良式容器を提供する。【解決手段】容器２０の外側表面に、１つ以上の集熱器２２を設置する。該集熱器２２は、複数の幾何学形状、或いは、不規則形状の立体構造の突起物の集合であるか、或いは、複数の導熱片の集合である。集熱器２２と容器２０は一体成型の構造であるか、接合加工技術により、集熱器２２を容器２０の外側表面に固定するか、外側底部に設置する。集熱器２２は、受熱面積を拡大し、更に多くの熱エネルギーを容器２０内の受熱物に伝導し、等量のエネルギー（天然ガス、燃油等）を使用する条件下で、更に快速に、所定温度に到達させて、エネルギーの消耗を減少させる。【選択図】図２
0003145680.tif 000002
【実用新案登録請求の範囲】
【請求項１】
改良式容器であって、熱エネルギー輻射、或いは、伝導方式を使用して、容器内の受熱物を加熱し、その特徴は、前記容器の外側表面に一つ以上の集熱器を設置し、前記集熱器の材質は好ましい導熱性を有して、前記容器の受熱部位の集熱面積を拡大することを特徴とする改良式容器。
【請求項２】
前記集熱器は、幾何学形状の立体構造突起物、或いは、片状の導熱板であることを特徴とする請求項1に記載の改良式容器。
【請求項３】
前記集熱器は、前記容器と一体成型される構造で、前記容器の外側底部に設置されることを特徴とする請求項２に記載の改良式容器。
【請求項４】
前記集熱器は、接合加工技術により、前記容器の外側表面に固定されることを特徴とする請求項２に記載の改良式容器。
【考案の詳細な説明】
【技術分野】
【０００１】
本考案は改良式容器に関するものであって、一般のコンロ、鍋間の熱源の総熱エネルギーを加熱したい物に伝導する効率が低いことを改善し、特に、受熱面積を増加させる容器の構造関するものである。
【背景技術】
【０００２】
公知の容器構造は、外側と底部が平坦で、容器内の受熱物を加熱し、その温度を快速に増加したい場合、熱源の総熱流量を増加させる方式で達成し、例えば、天然ガス、或いは、燃油の供給量を増加して、火力を増加する。しかし、一般に、コンロ、鍋間の熱源総熱量を受熱物に伝導する効率は低く、よって、非常に多くのエネルギーを浪費する。
【考案の開示】
【考案が解決しようとする課題】
【０００３】
本考案の目的は、改良式容器を提供し、上述の問題を改善することにある。
【課題を解決するための手段】
【０００４】
本考案の改良式容器は、熱エネルギー輻射、或いは、伝導方式を使用して、容器内の受熱物を加熱し、その特徴は、容器の外側表面に一つ以上の集熱器を設置し、集熱器の材質は好ましい導熱性を有すると共に、受熱部位の表面から突出し、容器の受熱部位の集熱面積を拡大する。
【０００５】
集熱器は、幾何学形状、或いは、不規則形状の立体構造である。集熱器と容器は、一体成型の構造か、或いは、接合加工技術により、集熱器を容器の外側表面に固定する。
【考案の効果】
【０００６】
本考案の改良式容器は、集熱器を有し、集熱器の材質は好ましい導熱性を有して、容器の受熱部位の集熱面積を拡大する。
【考案を実施するための最良の形態】
【０００７】
図１は、公知の鍋等の容器をコンロ上において、容器内の受熱物を加熱することを示す図で、火が生成する熱エネルギーは大部分が空気により逃げて、加熱効率が悪い。
【０００８】
図２を参照すると、本考案の改良式容器２０は、熱輻射、或いは、伝導方式（熱蒸気電熱管等）を使用して、容器２０内の受熱物を加熱する。その特徴は、容器２０の外側表面に、一つ以上の集熱器２２を設置し、集熱器２２の材質は好ましい導熱性を有し（金属など）、容器２０の受熱部位の集熱面積を拡大する。
【０００９】
集熱器２２は、複数の幾何学形状、或いは、不規則形状の立体構造の突起物の集合であるか、或いは、複数の導熱片の集合である。集熱器２２と容器２０は一体成型の構造であるか、接合加工技術により、集熱器２２を容器２０の外側表面に固定するか、外側底部に設置する。
【００１０】
図２、及び、図３Aを参照すると、本考案の改良側容器の構造は、受熱面積を拡大し、更に多くの熱エネルギーを容器２０内の受熱物に伝導し、等量のエネルギー（天然ガス、燃油等）を使用する条件下で、更に快速に、所定温度に到達させて、エネルギーの消耗を減少させる。
【００１１】
更に、図３Bを参照すると、集熱器３４の材質が好ましい導熱性を有すると共に、受熱部位の表面から突出し、容器の集熱部位の総面積を拡大して、火が集熱器３４の表面に達し、火の熱エネルギーが効果的に収集されると共に、容器内の受熱部に伝導される。
【図面の簡単な説明】
【００１２】
【図１】公知の容器を加熱する状態図である。
【図２】改良式容器の第一実施例を示す図である。
【図３Ａ】改良式容器の加熱を示す図である。
【図３Ｂ】改良式容器の加熱の局部拡大図である。
【符号の説明】
【００１３】
本考案の改良式容器２０
集熱器２２、３４
【図１】
0003145680.tif 000003
【図２】
0003145680.tif 000004
【図３Ａ】
0003145680.tif 000005
【図３Ｂ】
0003145680.tif 000006